(57)【要約】【課題】  磁力線が体を貫通する如くに作用し、恰も、針治療のような効果を効果的に奏することが出来る健康器具を提供することである。【解決手段】  体の一部に巻き付けられて用いられる健康器具であって、  体の一部に巻き付ける為の帯と、前記帯に取り付けられた第１の磁石と、前記第１の磁石とは離れて前記帯に取り付けられた第２の磁石とを具備し、  前記第１の磁石および第２の磁石は、共に、表面側に第１の磁極を持ち、裏面側に第２の磁極を持つように構成された板状のものであり、  前記帯を体の一部に巻き付けた場合、その個所の体を間に挟んで前記板状の第１の磁石の磁極と前記板状の第２の磁石の磁極とが対向するよう構成されてなる。【選択図】    図１
2005278925.tif 000002
【特許請求の範囲】
【請求項１】
体の一部に巻き付けられて用いられる健康器具であって、
体の一部に巻き付ける為の帯と、
前記帯に取り付けられた第１の磁石と、
前記第１の磁石とは離れて前記帯に取り付けられた第２の磁石
とを具備し、
前記第１の磁石および第２の磁石は、共に、表面側に第１の磁極を持ち、裏面側に第２の磁極を持つように構成された板状のものであり、
前記帯を体の一部に巻き付けた場合、その個所の体を間に挟んで前記板状の第１の磁石の磁極と前記板状の第２の磁石の磁極とが対向するよう構成されてなる
ことを特徴とする健康器具。
【請求項２】
体の一部に巻き付けられて用いられる健康器具であって、
体の一部に巻き付ける為の帯と、
前記帯に取り付けられた第１の磁石と、
前記第１の磁石とは離れて前記帯に取り付けられた第２の磁石
とを具備し、
前記第１の磁石および第２の磁石は、共に、表面側に第１の磁極を持ち、裏面側に第２の磁極を持つように構成された板状のものであり、
前記帯を体の一部に巻き付けた場合、その個所の体を間に挟んで前記板状の第１の磁石と前記板状の第２の磁石とは、互いに、同極同士が対向するよう構成されてなる
ことを特徴とする健康器具。
【請求項３】
体の一部に巻き付けられて用いられる健康器具であって、
体の一部に巻き付ける為の帯と、
前記帯に取り付けられた第１の磁石と、
前記第１の磁石とは離れて前記帯に取り付けられた第２の磁石
とを具備し、
前記第１の磁石および第２の磁石は、共に、表面側に第１の磁極を持ち、裏面側に第２の磁極を持つように構成された板状のものであり、
前記帯を体の一部に巻き付けた場合、その個所の体を間に挟んで前記板状の第１の磁石と前記板状の第２の磁石とは、互いに、異極同士が対向するよう構成されてなる
ことを特徴とする健康器具。
【発明の詳細な説明】
【技術分野】
【０００１】
本発明は磁石を用いた健康器具に関する。
【背景技術】
【０００２】
磁石を用いた健康器具は、従来より、広く知られている。例えば、磁石を体に貼着するタイプのものとか、或いは、磁気ネックレスや磁気ブレスレット等が知られている。
【発明の開示】
【発明が解決しようとする課題】
【０００３】
ところで、磁石を体に貼着するタイプのものは、その貼着個所にのみ一つの磁石が配置されるのみであり、磁石からの磁力線は体の中まで入り難い。従って、磁力線による健康改善効果もそれだけ期待でき難いと思われる。そこで、市販の貼着タイプのものを購入し、例えば手の平側に一つ貼り、そして手の甲側にもう一つ貼り、恰も、手の平と甲とに貼られた各々が対向するように貼っても、これは互いの磁石による磁力線が貫通タイプのものなのか、それとも反発タイプのものかが判らず、各々の健康状態に応じて貼り分けて使用すると言った用い方は出来ない。例えば、針治療の場合の如く、磁力線が貫通するように磁石を貼りたい場合、手の甲に貼った磁石と手の平に張った磁石とが同一タイプのものであれば、それは同じ磁極同士が対向するものとなり、互いの磁石の磁力線は反発するものであるから、両者の磁石による磁力線が協力して貫通するようなものとはならない。すなわち、この種のものは、基本的に二つの磁石の協力によって健康増進を図ろうとする考えが欠けたものであると言わざるを得ない。
【０００４】
又、首に掛けるネックレスタイプや腕に巻くブレスレットタイプのものは、幾つかの磁石が鎖状に連なっている。しかしながら、これを身に付けた（例えば、首に掛けた場合とか、腕に巻き付けた）場合、身の両側に在る磁石が互いに協力して磁力線が貫通するようになっているものなのか、それとも、逆に、反発するようになっているものなのかは皆目判らない。更には、隣に在る磁石が互いにくっ付き合う如くに配置されている。この為、隣接する磁石による磁極が互いに近くに有り過ぎ、磁力線の効果的な利用が図れ難い。
【０００５】
よって、本発明が解決しようとする第１の課題は、例えば磁力線が体を貫通する如くに作用し、恰も、針治療のような効果を効果的に奏することが出来る健康器具を提供することである。
【０００６】
或いは、本発明が解決しようとする第２の課題は、例えば互いに反発するかの如くの磁力線を体に作用せしめ、恰も、互いに反発する磁力線の間に水道水を通過させて、水分子を小さなクラスターにして飲料水の改質を図っているかの如くの効果を効果的に奏することが出来る健康器具を提供することである。
【課題を解決するための手段】
【０００７】
前記第１，２の課題は、体の一部に巻き付けられて用いられる健康器具であって、
体の一部に巻き付ける為の帯と、
前記帯に取り付けられた第１の磁石と、
前記第１の磁石とは離れて前記帯に取り付けられた第２の磁石
とを具備し、
前記第１の磁石および第２の磁石は、共に、表面側に第１の磁極を持ち、裏面側に第２の磁極を持つように構成された板状のものであり、
前記帯を体の一部に巻き付けた場合、その個所の体を間に挟んで前記板状の第１の磁石の磁極と前記板状の第２の磁石の磁極とが対向するよう構成されてなる
ことを特徴とする健康器具によって解決される。
【０００８】
特に、体の一部に巻き付けられて用いられる健康器具であって、
体の一部に巻き付ける為に伸縮性にして、かつ、捻りが可能な帯と、
前記帯の一方の端部の一面に取り付けられた第１の面ファスナと、
前記帯の他方の端部の両面に取り付けられた前記第１の面ファスナと協同する第２の面ファスナと、
前記帯の一面に取り付けられた第１の磁石と、
前記第１の磁石と同じ側又は反対側の面において前記第１の磁石とは離れて前記帯に取り付けられた第２の磁石
とを具備し、
前記第１の磁石および第２の磁石は、共に、表面側に第１の磁極を持ち、裏面側に第２の磁極を持つように構成された板状のものであり、
前記帯を体の一部に巻き付けた場合、その個所の体を間に挟んで前記板状の第１の磁石と前記板状の第２の磁石とは、前記帯の捻り次第で、互いに、異極同士が対向するよう、又は同極同士が対向するよう構成されてなる
ことを特徴とする健康器具によって解決される。
【０００９】
又、前記第１の課題は、体の一部に巻き付けられて用いられる健康器具であって、
体の一部に巻き付ける為の帯と、
前記帯に取り付けられた第１の磁石と、
前記第１の磁石とは離れて前記帯に取り付けられた第２の磁石
とを具備し、
前記第１の磁石および第２の磁石は、共に、表面側に第１の磁極を持ち、裏面側に第２の磁極を持つように構成された板状のものであり、
前記帯を体の一部に巻き付けた場合、その個所の体を間に挟んで前記板状の第１の磁石と前記板状の第２の磁石とは、互いに、異極同士が対向するよう構成されてなる
ことを特徴とする健康器具によって解決される。
【００１０】
又、前記第２の課題は、体の一部に巻き付けられて用いられる健康器具であって、
体の一部に巻き付ける為の帯と、
前記帯に取り付けられた第１の磁石と、
前記第１の磁石とは離れて前記帯に取り付けられた第２の磁石
とを具備し、
前記第１の磁石および第２の磁石は、共に、表面側に第１の磁極を持ち、裏面側に第２の磁極を持つように構成された板状のものであり、
前記帯を体の一部に巻き付けた場合、その個所の体を間に挟んで前記板状の第１の磁石と前記板状の第２の磁石とは、互いに、同極同士が対向するよう構成されてなる
ことを特徴とする健康器具によって解決される。
【００１１】
或いは、体の一部に巻き付けられて用いられる健康器具であって、
体の一部に巻き付ける為の帯と、
第１の磁石と、
第２の磁石
とを具備し、
前記帯は、環状に構成されると共に、伸縮性を有するものであり、
前記第１の磁石および第２の磁石は、共に、表面側に第１の磁極を持ち、裏面側に第２の磁極を持つように構成された板状のものであり、
前記環状帯の所定個所には前記第１の磁石を収納する第１の収納部が設けられると共に、前記環状帯に設けた第１の収納部とは位相が１８０°ずれた位置に前記第２の磁石を収納する第２の収納部が設けられてなり、
前記環状帯の第１の収納部には前記第１の磁石が収納されて該磁石が該帯に取り付けられた構成になると共に、前記環状帯の第２の収納部には前記第２の磁石が収納されて該磁石が該帯に取り付けられた構成になり、
前記環状帯を体に装着した場合、その個所の体を間に挟んで前記板状の第１の磁石の磁極と前記板状の第２の磁石の磁極とが対向するよう構成されてなる
ことを特徴とする健康器具によって解決される。
【００１２】
尚、この健康器具にあっては、一方の袋状の収納部に収納した磁石の裏表を引っ繰り返すことによって、適宜、磁石の同極同士が対向したり、異極同士が対向するようにすることが出来る。
【発明の効果】
【００１３】
すなわち、上記のように構成させた発明は、帯を体（例えば、腕）に巻き付けた場合、第１の磁石と第２の磁石とは、例えば腕を間に挟んで対向しているかの如くに配置されることになる。
【００１４】
そして、この時、互いに対向している磁石の磁極が異極ならば、二つの磁石からの磁力線は互いに協同して腕を貫通する如くになる。従って、磁力線が効果的に体に作用するようになり、針治療を要するような場合には磁力線が極めて効果的に作用するようになる。
【００１５】
一方、互いに対向している磁石の磁極が同極ならば、二つの磁石からの磁力線は互いに反発するかの如くに作用する。そうすると、その間に在る腕には反発するかの如くに磁力線が作用する。その結果、恰も、互いに反発する磁力線の間に水道水を通過させて、水分子を小さなクラスターにして飲料水の改質を図っているかの如くの効果が血液に対しても期待できる。従って、健康の向上が期待できる。
【発明を実施するための最良の形態】
【００１６】
図１〜図３は本発明になる健康器具の一実施形態を示すもので、図１は健康器具の平面図、図２は帯を捻らないで首に装着した状態での概略断面図、図３は帯を一捻りして首に装着した状態での概略断面図である。
【００１７】
本発明の健康器具Ａは、図１からも判る通り、帯１と、磁石２ａと、磁石２ｂとからなる。すなわち、二つの磁石２ａ，２ｂが帯１に取り付けられている。
【００１８】
帯１は、伸縮性を有しており、かつ、捻りが可能な素材で構成されたものである。そして、帯１の一端部における一面には面ファスナ３ａが貼着されており、又、帯１の他端部における両面には前記面ファスナ３ａとの協同作用によって互いに喰っ付き合う面ファスナ３ｂ，３ｃが設けられている。尚、面ファスナ３ｂは面ファスナ３ａと同じ側の面に設けられており、面ファスナ３ｃは面ファスナ３ａとは異なる側の面に設けられている。そして、面ファスナ３ａと面ファスナ３ｂ，３ｃとを互いに重ね合わせたならば、接合し、恰も、リング状のものとなる。
【００１９】
帯１の所定の位置における一面（面ファスナ３ａが設けられている側とは反対側の面）に磁石２ａの一方の磁極面（例えば、Ｎ極面）が接着剤で接着されている。又、面ファスナ３ａと面ファスナ３ｃとを重ねた際に出来る円形状の帯において、この円形状の帯に設けられている磁石２ａとは１８０°の位相差が構成されるように磁石２ｂが帯１の一面（面ファスナ３ａが設けられている側とは反対側の面）に接着剤で接着されている。尚、磁石２ａのＮ極面が帯１の一面に接着されている場合において、磁石２ｂはＳ極面が帯１の一面に接着されていても、Ｎ極面が接着されていても良い。本実施形態にあっては、磁石２ａの磁極とは異なる磁極の面、即ち、Ｓ極面が帯１の一面に接着されているものとした。これは、磁石２ａのＮ極面を帯１に接着し、かつ、磁石２ｂのＳ極面を帯１に接着した場合において、帯１を全く捻らない状態にて帯１の端部の面ファスナ３ａと面ファスナ３ｃとを接合してリング状のものとした場合において、帯に接着している磁石２ａはＳ極面が円形の中心側を向いており、他方、磁石２ｂはＮ極面が円形の中心側を向いている。そして、この状態にて、図２に示される如く、首に巻かれている場合、磁石２ｂのＮ極から出た磁力線は間に在る首を直線的に通り抜けて磁石２ａのＳ極に入るようになり、首には恰も磁力線が貫通するかの如くに作用するようになる。これに対して、一捻りして帯１の端部の面ファスナ３ａと面ファスナ３ｃとを接合してリング状のものとした場合においては、帯１に接着している磁石２ａはＳ極面が円形の中心側を向いており、他方、磁石２ｂはＳ極面が円形の中心側を向くようになる。従って、この状態にて、図３に示される如く、首に巻かれた場合、磁石２ａから出る磁力線と磁石２ｂから出る磁力線とは互いに反発するかの如くになる。
【００２０】
すなわち、帯１を捻らないでリング状のものとするか、それとも捻ってリング状のものとするかによって、磁石２ａと磁石２ｂとの対向する磁極が異極であったり、同極であったりするようになる。従って、予め、二種類のものを用意せずとも、使い方によって二通りのものとなる。そして、上記のように構成させた健康器具Ａを用いたならば、場合によっては、恰も、針治療のような効果を期待でき、場合によっては血液中の水分子が細かなクラスターに変換されることから、所謂、血液サラサラ効果を期待できるものとなる。
【００２１】
上記実施の形態では、帯１は長尺状のもので説明した。
【００２２】
しかしながら、帯１は、予め、環状（リング状）に構成させたものであっても良い。すなわち、恰も、腕に巻くサポーターのような形態にしていても良い。このような場合には、該伸縮自在な環状の帯の一面側の所定個所に磁石２ａを収納する袋部を取り付けておき、かつ、前記袋部の位置と１８０°ずれた位置（環の中心位置を中心として対称な位置）にも磁石２ｂを収納する袋部を取り付けておき、これ等の袋部内に磁石を収納するようなものであっても良い。そして、このような形態のものでも、磁石の裏表の向きを変えることで、磁石２ａのＮ極と磁石２ｂのＮ極とを対向させたり、磁石２ａのＮ極と磁石２ｂのＳ極とを対向させたりすることが出来る。
【図面の簡単な説明】
【００２３】
【図１】本発明になる健康器具の平面図
【図２】図１の健康器具の使用中の概略断面図
【図３】図１の健康器具の使用中の概略断面図
【符号の説明】
【００２４】
Ａ                  健康器具
１                  帯
２ａ，２ｂ          磁石
３ａ，３ｂ，３ｃ    面ファスナ
代  理  人  宇  高  克  己
【図１】
2005278925.tif 000003
【図２】
2005278925.tif 000004
【図３】
2005278925.tif 000005